(57)【要約】【課題】構造簡単でありながら、既建築の家屋の勾配屋根に対しても簡単に適用することができ、また、どのような屋根葺き構造の勾配屋根であっても何らの問題なく簡単に設置して屋根面の緑化を図ることができる勾配屋根用植栽パンとこれを用いた勾配屋根の緑化構造を提供する。【解決手段】パン連結具３を用いて勾配屋根用植栽パン２を勾配屋根１の頂上を境として左右の屋根面に振り分けて連結係止し、勾配屋根用植栽パン２の各植栽部１１ａ〜１１ｂにマット状植物ｐを敷き詰める。勾配屋根用植栽パン２は、勾配屋根の傾斜方向に沿って隣り合う勾配屋根用植栽パン同士を連結するためのフック部７，８を備え、仕切板９ａ，９ｂによって植栽部１１ａ〜１１ｃを区画するとともに底板１０ａ〜１０ｃで塞ぎ、該底板には上壁板側から下壁板側に向かって登り勾配となる向きに勾配屋根の傾斜角θと同じかそれに近い角度の傾斜を与えた。【選択図】図２
2008019643.tif 000002
【特許請求の範囲】
【請求項１】
矩形状をした枠体からなり、該枠体の上壁板と下壁板には勾配屋根の傾斜方向に沿って隣り合う勾配屋根用植栽パン同士を連結するための連結手段を備え、該枠体内は仕切板によって複数個の植栽部に区画されているとともに、各植栽部は底板によって塞がれ、これら底板には上壁板側から下壁板側に向かって登り勾配となる向きに勾配屋根の傾斜角と同じかそれに近い角度の傾斜が与えられていることを特徴とする勾配屋根用植栽パン。
【請求項２】
前記連結手段が鉤状をしたフック部からなることを特徴とする請求項１記載の勾配屋根用植栽パン。
【請求項３】
前記連結手段が連結用穴からなることを特徴とする請求項１記載の勾配屋根用植栽パン。
【請求項４】
前記矩形状をした枠体の左右の側壁板に、勾配屋根の稜線方向に沿って隣り合う勾配屋根用植栽パン同士を連結するための連結用穴を形成したことを特徴とする請求項１〜３のいずれかに記載の勾配屋根用植栽パン。
【請求項５】
請求項１〜４のいずれかに記載の勾配屋根用植栽パンを用いて構築した勾配屋根の緑化構造であって、
パン連結具を用いて前記勾配屋根用植栽パンを勾配屋根の頂上を境として左右の屋根面に振り分けて連結係止し、該左右に振り分けて連結係止した勾配屋根用植栽パンの各植栽部にマット状植物を敷き詰めたことを特徴とする勾配屋根の緑化構造。
【請求項６】
上壁板と下壁板に形成された連結手段を用いて複数個の勾配屋根用植栽パンを勾配屋根の傾斜方向に沿って一列に並べて連結配置したことを特徴とする請求項５記載の勾配屋根の緑化構造。
【請求項７】
前記勾配屋根の傾斜方向に沿って一列に並べて連結配置された勾配屋根用植栽パン列を屋根の稜線方向に沿って複数列並設したことを特徴とする請求項６記載の勾配屋根の緑化構造。
【請求項８】
屋根の稜線方向に沿って隣り合う植栽パン同士を側壁板に形成された連結用穴を利用してボルトとナットにより一体に連結したことを特徴とする請求項７記載の勾配屋根の緑化構造。
【発明の詳細な説明】
【技術分野】
【０００１】
本発明は、屋根面が傾斜した勾配屋根をマット状植物で覆って緑化するための勾配屋根用植栽パンとこれを用いた勾配屋根の緑化構造に関するものである。
【背景技術】
【０００２】
近年、炭酸ガス増加による地球温暖化と環境破壊が大きな問題となっている。この問題の解決策のひとつとして、公共施設や大規模ビルの屋上に植物を植える屋根緑化運動が盛んになってきている。さらに、このような屋根緑化運動は公共施設や大規模ビルだけにとどまらず、住宅などの一般家屋においても推進の気運が高まっている。住宅などの一般家屋は、ビルの屋上とは異なり、屋根面が傾斜したいわゆる勾配屋根とされているものが多いが、このような勾配屋根の緑化工法や機構も種々提案されている（例えば、特許文献１、２参照）。
【０００３】
特許文献１に記載の勾配屋根の植栽施工体は、従来の瓦葺き屋根、金属板葺き屋根、スレート葺き屋根などに代えて用いられるもので、勾配屋根下地材の被施工面に防水シートを敷設し、この防水シートの上面に、勾配方向に所定の間隔を存して、軒先端縁に平行する複数列の排水用長尺板を立設するとともに、これら排水用長尺板の両端に当接して、けらば端縁に沿わせて閉塞用長尺板を立設し、これら排水用長尺板と閉塞用長尺板によって複数列の囲繞空間を形成し、各囲繞空間のそれぞれにおいて排水用長尺板の内面に透水性防根シートを重ね合わせ、さらにそれぞれの囲繞空間内に立体網状シートを装填し、その三次元の連続空孔内に土壌を充填して充填層を形成するとともに、その上面に覆土層を堆積した盛土層を備えて複数列の植栽施工区劃体としたもので、この植栽施工区劃体に植物を植生することにより緑化屋根とするものである。
【０００４】
また、特許文献２に記載の屋上緑化構造は、勾配屋根を構成する屋根材上に、屋根の傾斜方向に沿って所定の間隔をおいてＬ字形をした留め具を対向配置して固定するとともに、この留め具に植生マットを固定した植生マット固定具を固定し、植生マットを屋根面の定位置に植生するようにしたものである。
【０００５】
【特許文献１】特開平０８−０１３７１３号公報（全頁、全図）
【特許文献２】特開２００６−０２５６８９号公報（全頁、全図）
【発明の開示】
【発明が解決しようとする課題】
【０００６】
上記特許文献１，２に記載された植栽施工体および屋上緑化構造は、いずれも勾配屋根の緑化方法として優れたものである。しかしながら、特許文献１に記載のものは、勾配屋根そのものが緑化屋根とされているため、住宅建設の設計段階からでないと適用することが難しく、既建設の家屋の勾配屋根には簡単に適用することができないという問題があった。また、引用文献２に記載のものは、勾配屋根の所望の位置に所望の大きさの屋上緑化を実現することができるが、植生マット固定具を定位置に固定するための留め具を屋根面に固設しなければならず、表面に凹凸があって材質も硬い瓦葺き屋根などの場合には、瓦面に大きな凹凸があるとともに瓦自体が極めて硬いために、植生マット固定具を固定する留め具を屋根面に固設することが簡単ではなく、そのままでは瓦葺き屋根に適用することが難しいという問題があった。
【０００７】
本発明は、上記のような問題を解決するためになされたもので、構造簡単でありながら、既建築の家屋の勾配屋根に対しても簡単に適用することができ、また、瓦葺き屋根、金属板葺き屋根、スレート葺き屋根など、どのような屋根葺き構造の勾配屋根であっても何らの問題なく簡単に設置して屋根面の緑化を図ることができる勾配屋根用植栽パンとこれを用いた勾配屋根の緑化構造を提供することを目的とするものである。
【課題を解決するための手段】
【０００８】
上記目的を達成するため、本発明は以下のような構成を採用した。
すなわち、本発明に係る勾配屋根用植栽パンは、矩形状をした枠体からなり、該枠体の上壁板と下壁板には勾配屋根の傾斜方向に沿って隣り合う勾配屋根用植栽パン同士を連結するための連結手段を備え、該枠体内は仕切板によって複数個の植栽部に区画されているとともに、各植栽部は底板によって塞がれ、これら底板には上壁板側から下壁板側に向かって登り勾配となる向きに勾配屋根の傾斜角と同じかそれに近い角度の傾斜が与えられていることを特徴とするものである。なお、前記連結手段としては、鉤状をしたフック部あるいは連結用穴から構成すればよい。また、前記矩形状をした枠体の左右の側壁板には、勾配屋根の稜線（棟）方向に沿って隣り合う勾配屋根用植栽パン同士を連結するための連結用穴を形成することが望ましい。
【０００９】
本発明に係る勾配屋根の緑化構造は、上記勾配屋根用植栽パンを用いて構築したものであって、パン連結具を用いて前記勾配屋根用植栽パンを勾配屋根の頂上を境として左右の屋根面に振り分けて連結係止し、該左右に振り分けて連結係止した勾配屋根用植栽パンの各植栽部にマット状植物を敷き詰めたことを特徴とするものである。また、上壁板と下壁板に形成された連結手段を用いて複数個の勾配屋根用植栽パンを勾配屋根の傾斜方向に沿って一列に並べて連結配置し、さらには、該勾配屋根の傾斜方向に沿って一列に並べて連結配置された勾配屋根用植栽パン列を屋根の稜線（棟）方向に沿って複数列並設したものである。なお、屋根の稜線方向に沿って隣り合う勾配屋根用植栽パン同士は、側壁板に形成された連結用穴を利用してボルトとナットにより一体に連結することが望ましい。
【００１０】
なお、マット状植物とは、植栽基盤をなす根域がお互いに絡み合ってマット状に薄層化され、所定の大きさ（例えば２５０×２５０ｍｍ四方）に切り揃えられてあたかも芝を敷き詰めるようにして植栽面に敷き詰めていくことができる植物（草、木）を指すものである。
【発明の効果】
【００１１】
上記構成になる本発明の勾配屋根用植栽パンとこれを用いた勾配屋根の緑化構造によれば、勾配屋根用植栽パンとマット状植物は、勾配屋根とはまったく別の構造体として勾配屋根面上に構築されるので、既建設の家屋に対しても後から簡単に施工することができるし、また本発明の緑化構造を施工した後においても、不要になった時点で簡単に取り外して撤去することができる。
【００１２】
また、植栽パン２は、パン連結具３によって屋根の頂上（稜線、棟）を境として左右の屋根面に振り分けた状態で連結係止されているので、植栽パンが傾斜面に沿ってすべり落ちるようなことがなく、さらに、各植栽パンは自重と植栽部に植栽されたマット状植物の重量によって屋根面に向けて押し付けられた状態となるので、屋根面から簡単に浮き上がってしまうというようなこともない。
【００１３】
また、勾配屋根の傾斜面に沿って一列に並んで連結された勾配屋根用植栽パン同士は、フック部あるいは連結用穴からなる連結手段によって簡単に連結することができるので、施工が極めて簡単である。
【００１４】
また、稜線方向に沿って並設された勾配屋根用植栽パン列の隣り合う植栽パン同士をお互いの側壁板に形成された連結用穴を利用して連結することができるので、勾配屋根上に載置された勾配屋根用植栽パン同士を面的に一体化することができ、傾斜屋根全体として見たときの勾配屋根用植栽パンの敷設強度を高めることができる。
【００１５】
また、植栽部の底板には、勾配屋根の上流側から下流側に向かって登り勾配となる向きに勾配屋根の傾斜角と同じかそれに近い角度の傾斜を与えたので、勾配屋根用植栽パンを勾配屋根上に載置した状態では、これら底板が水平あるいは水平に近い状態となる。このため、植栽部に雨水や散水の水を蓄えることができ、植栽部に敷き詰められたマット状植物に対する給水能力を向上できるので、勾配屋根上に植栽されたマット状植物の管理を容易とすることができる。
【００１６】
さらに、本発明においては、マット状植物は勾配屋根用植栽パンの植栽部に敷き詰めた状態で植栽されているので、その取り換えも容易である。したがって、望むならば、季節に応じて異なる種類の植物に植え替えることも可能であり、季節に応じた緑化屋根を楽しむこともできる。
【発明を実施するための最良の形態】
【００１７】
以下、図面を参照して本発明の実施の形態について説明する。
図１〜図３に、本発明の第１の実施の形態を示す。図１は第１の実施の形態に係る勾配屋根の緑化構造の略示断面図、図２および図３はこの第１の実施の形態で用いる勾配屋根用植栽パンとパン連結具の構造を示す図である。
【００１８】
第１の実施の形態に係る勾配屋根の緑化構造は、図１に示すように、勾配屋根１上にマット状植物ｐを敷き詰めて植栽するための勾配屋根用植栽パン（以下、「植栽パン」と略称）２と、この植栽パン２を勾配屋根１の頂上（稜線、棟）を境にして左右の屋根面に振り分けて連結係止するパン連結具３とによって構成されている。
【００１９】
植栽パン２は、マット状植物ｐを敷き詰めて植栽するための植栽容器であって、その全体をプラスチック、ＦＲＰ、金属板など、簡単に壊れることのない耐久性に優れた材料で作られている。具体的には、図２にその詳細を示すように、四周を上壁板４、下壁板５、左右の側壁板６，６で囲まれた平面視四角形状をした所定大きさ（例えば、横幅９００×縦長さ９００×高さ１００ｍｍ程度）の枠体からなり、上壁板４の外側面には下向きに開口する鉤状のフック部７が形成されているとともに、下壁板５の外側面には上向きに開口する鉤状のフック部８が形成されている。これら鉤状になるフック部７，８は、屋根の傾斜面に沿って上下方向に一列に並べられる植栽パン同士をお互いに連結するとともに、最上段に位置する植栽パン２をパン連結具３に連結係止するための連結手段を構成している。
【００２０】
さらに、前記植栽パン２の内部は、上壁板４，下壁板５と平行に走る仕切板９ａ，９ｂによって横に細長い３つのブロックに仕切られており、各ブロックの底面は底板１０ａ，１０ｂ，１０ｃによってそれぞれ塞がれ、マット状植物ｐを敷き詰めて植栽するための植栽部１１ａ，１１ｂ，１１ｃとされている。
【００２１】
前記底板１０ａ，１０ｂ，１０ｃは、それぞれ上壁板４側から下壁板５側に向かって登り勾配となる向きに所定の傾斜角α（図２（ｃ）参照）が与えられている。この傾斜角αは、勾配屋根１の傾斜角θ（図１参照）と同じかそれに近い角度とされており、植栽パン２を勾配屋根１上に屋根の傾斜面に沿って載置したとき、底板１０ａ，１０ｂ，１０ｃが水平もしくは水平に近い状態となるように設定されている。これにより、仕切板９ａ，９ｂで仕切られた各植栽部１１ａ，１１ｂ，１１ｃがマット状植物ｐを植栽するための植栽空間を形成すると同時に、雨水などを溜めるための水タンクの役目も兼ねるようになる。
【００２２】
なお、一般家屋における勾配屋根１の傾斜角θは、通常１５〜３０度程度である。したがって、前記底板１０ａ，１０ｂ，１０ｃの傾斜角αは、この傾斜角θに合わせて１５〜３０度の範囲で設定されるが、最も簡単には、この傾斜角度の最大と最小の中間辺りの角度、例えば上記の例では３０度と１５度のちょうど真ん中を採って、α＝２２．５度前後に設定すればよい。底板１０ａ，１０ｂ，１０ｃの傾斜角αをこのような値に設定すれば、１種類の植栽パンによってほとんどの勾配屋根に対応することが可能となり、個々の勾配屋根の傾斜角θに合わせて植栽パン２を製造する必要がなくなるので、部材の汎用性を高めることができる。
【００２３】
植栽パン２の左右の側壁板６，６の適宜位置には、隣り合う植栽パン同士を一体に連結するための連結用穴１２が所要個（図示例では左右に３個ずつ）形成されている。植栽パン２を勾配屋根１の稜線方向に沿って複数列並設した場合などにおいて、この連結用穴１２にボルト１３とナット１４を挿し通して螺着することにより、勾配屋根の稜線方向に沿って隣り合う植栽パン同士を一体に連結できるように構成されている。
【００２４】
パン連結具３は、勾配屋根１の頂上を境にして植栽パン２を左右の屋根面に振り分けた状態で連結係止するための留め部材であって、図３にその詳細を示すように、断面矩形トンネル状になる本体部１６の左右の側壁下端部を外側に向かって折り返し、上に向かって開いた鉤状のフック部１７，１７としたものである。この左右のフック部１７，１７に、前記植栽パン２の上側のフック部７を引っ掛けて係合することにより、図１に示すように、植栽パン２を左右の屋根面に振り分けて連結係止するものである。なお、フック部１７の底面部１８は、勾配屋根１上に安定的に載置できるようにするため、勾配屋根１の傾斜角θと同程度の傾斜を与えることが好ましい。
【００２５】
図１示した第１の実施の形態に係る勾配屋根の緑化構造は、上記構造になる植栽パン２とパン連結具３を用いて次のようにして構築される。
【００２６】
まず最初に、勾配屋根１の頂上（棟）位置にパン連結具３を稜線（棟）方向に沿って載置する。次に、このパン連結具３の左右のフック部１７，１７に左右一対の植栽パン２，２の上側のフック部７をそれぞれ引っ掛けて係合し、一対の植栽パン２，２を屋根の頂上を境として左右の屋根面に振り分けた状態で連結係止する。
【００２７】
次いで、屋根の左右に振り分けて連結係止された前記最上段の左右一対の植栽パン２，２のそれぞれについて、屋根傾斜面に沿った下側に次の植栽パン２をそれぞれ配置し、それぞれの植栽パン２の上側のフック部７を最上段の植栽パン２の下側のフック部８に引っ掛けて係合し、勾配屋根１の傾斜面方向に沿って一列に並べる。同様にして、必要な個数の植栽パン２を勾配屋根１の左右の傾斜面に沿って次々と連結していく。これにより、図１に示すように、勾配屋根１の左右の傾斜面に沿って所要個の植栽パン２がそれぞれ縦一列に連結された状態で載置される。
【００２８】
さらに、上記縦一列に連結された植栽パン列の隣に、さらに次の植栽パン列を上記と同様にして次々と並設していき、勾配屋根１の全面あるいは所望の面積部分を植栽パン２によって覆っていく。このとき、必要に応じて、並設されて隣り合う植栽パン２の側壁板６に形成された連結用穴１２，１２にボルト１３を挿し通してナット１４で螺着することにより、隣り合う植栽パン同士を一体に連結する。
【００２９】
上記のようにして、勾配屋根１の屋根面を必要な数の植栽パン２で覆った後、各植栽パン２の植栽部１１ａ，１１ｂ，１１ｃ内に規定の大きさに切り揃えられたマット状植物ｐを敷き詰めていき、傾斜屋根１の屋根面をマット状植物ｐで覆う。これによって、本発明による勾配屋根の緑化構造が完成する。
【００３０】
上記のようにして得られた本発明の緑化構造は、植栽パン２を用いてマット状植物ｐを勾配屋根１上に敷き詰めた状態となる。したがって、マット状植物ｐおよび植栽パン２と、勾配屋根１とはまったく別の構造体として構築されるので、既建設の家屋の勾配屋根に対しても後から簡単に施工することができる。また、本発明の緑化構造を施工した後においても、不要になった時点で簡単に取り外すことができる。
【００３１】
また、植栽パン２は、パン連結具３によって屋根の頂上を境として左右の屋根面に振り分けた状態で連結係止されているので、植栽パン２が傾斜面に沿ってすべり落ちるようなことがなく、さらに、各植栽パン２は自重と植栽部１１ａ，１１ｂ，１１ｃに植栽されたマット状植物ｐの重量によって屋根面に向けて押し付けられた状態となるので、簡単に浮き上がってしまうというようなこともない。
【００３２】
また、勾配屋根１の傾斜面に沿って一列に並んだ勾配屋根用植栽パン２同士は、鉤状をしたフック部７，８を係合させるだけで簡単に連結できるので、施工が極めて簡単である。
【００３３】
また、稜線方向に沿って並設された植栽パン列の隣り合う植栽パン２同士は、お互いの側壁板６に形成されている連結用穴１２にボルト１３を挿し通してナット１４で螺着することにより、お互いを一体に連結することができので、勾配屋根１上に載置された勾配屋根用植栽パン２同士を面的に一体化することができ、傾斜屋根全体として見たときの勾配屋根用植栽パン２の敷設強度を高めることができる。
【００３４】
また、植栽部１１ａ，１１ｂ，１１ｃの底板１０ａ，１０ｂ，１０ｃに、勾配屋根１の傾斜角θと同じかそれに近い角度の傾斜角αを持たせているので、植栽パン２を勾配屋根１上に載置した状態では、これら底板１０ａ，１０ｂ，１０ｃが水平あるいは水平に近い状態となり、植栽部１１ａ，１１ｂ，１１ｃの部分に雨水や散水の水を確実に蓄えることができる。このため、植栽部１１ａ，１１ｂ，１１ｃに敷き詰められたマット状植物ｐへの給水能力を向上することができ、マット状植物ｐの管理が容易となる。
【００３５】
さらに、マット状植物ｐは植栽パン２の植栽部１１ａ，１１ｂ，１１ｃに敷き詰めた状態で植栽されているため、その取り換えも容易であり、望むならば、季節に応じて異なる種類の植物に植え替えることも容易である。
【００３６】
なお、上記第１の実施の形態では、勾配屋根１の頂上位置に棟瓦などの大きな突出物のない、金属板葺き屋根やスレート葺き屋根の場合を例に採って図示したが、頂上に棟瓦を備えた瓦葺き屋根などの場合には、前記パン連結具３としては、例えば図４に示すように、本体部１６の部分を棟瓦１９の外形曲面に沿った∩状曲面とし、棟瓦１９をまたぐように配置すればよい。
【００３７】
また、図３に示したパン連結具３の稜線方向に沿った長さは任意であり、例えば植栽パン２の横幅と同程度（例えば９００ｍｍ）とし、１つの植栽パンについて１個のパン連結具を使用するようにしてもよいし、長さの短い短尺物（例えば２００ｍｍ程度）として形成し、１つの植栽パンに対して複数個（例えば２個または３個）のパン連結具３を使用するようにしてもよい。また、必要ならば、傾斜屋根の棟長さと同じ長さの長尺物として形成し、傾斜屋根の棟の端から端までを１個のパン連結具で覆うように配置してもよいものである。
【００３８】
図５〜図７に、本発明の第２の実施の形態を示す。
図５は第２の実施の形態に係る勾配屋根の緑化構造の略示断面図、図２および図３はこの第２の実施の形態で用いる植栽パンとパン連結具の構造を示す図である。
【００３９】
第２の実施の形態に係る勾配屋根の緑化構造は、植栽パン２およびパン連結具３として図６および図７のような構造のものを用いたもので、パン連結具３と植栽パン２、隣り合う植栽パン２同士をボルト２８とナット２９によって連結するように構成した場合の例である。
【００４０】
この第２の実施の形態で用いる植栽パン２は、図６に示すような構造になる。すなわち、前記第１の実施の形態で用いた植栽パン２（図２）と同様な構造において、上壁板４のフック部７と下壁板５のフック部８を省略し、これに代えて上壁壁４と下壁壁５に連結用穴２１，２２をそれぞれ所要個（図示例では上壁板側に４個、下壁板側に４個）形成したものである。なお、この連結用穴２１，２２以外の部分の構造は前述した図２のものと同じであるので、その他の部分には同じ符号を付してその説明は省略する。
【００４１】
また、第２の実施の形態で用いるパン連結具３は、図７に示すような構造になる。すなわち、本体部２３の左右の側壁部２４，２４の部分に植栽パン２の上壁板４に形成した連結用穴２１と合致する連結用穴２５を穿つとともに、植栽パン２の上壁板５にピッタリと接して沿うように上壁板５の傾斜と同じ傾斜を付けたものである。
【００４２】
図５に示した第２の実施の形態に係る勾配屋根の緑化構造は、前記図６の植栽パン２と図７のパン連結具３を用いて構築されたもので、図８に示すように、パン連結具３の連結用穴２５と植栽パン２の連結用穴２１にボルト２６を挿し通してナット２７で螺着することにより、パン連結具３と植栽パン２を連結するとともに、図９に示すように、上段側の植栽パン２の連結用穴２２とと下段側の植栽パン２の連結用穴２１にボルト２８と挿し通してナット２９で螺着することにより、勾配屋根１の傾斜面方向に沿って隣り合う植栽パン２同士を連結したものである。
【００４３】
この第２の実施の形態の場合も、必要に応じて、屋根の稜線方向に沿って並設された植栽パン列の隣り合う植栽パン２同士を、お互いの側壁板６に形成された連結用穴１２にボルトを挿し通してナットで螺着することにより、隣り合う植栽パン同士を一体に連結する。
【００４４】
上記第２の実施の形態の場合も、前述した第２の実施の形態と同様な作用効果を奏することができる。さらに、この第２の実施の形態の場合、すべての部材をボルトとナットで連結しているので、連結状態がより強固となって簡単に外れるようなことがないので、安全性が向上する。
【００４５】
図１０（ａ）に、上記第２の実施の形態で用いるパン連結具３の他の形状例を示す。この図１０（ａ）に示したパン連結具３は、全体が細長い長方形状をした枠体３０からなり、この枠体３０の側面部に、前記植栽パン２（図６）の連結用穴２１と合致する連結用穴３１を形成するとともに、この連結用穴３１を形成した側面部が植栽パン２の上壁板５にピッタリと沿うように傾斜を付けたもので、図１０（ｂ）に示すように、前記連結用穴３１と植栽パン２の上側の連結用穴２１にボルト３２を通してナット３３で螺着することにより、パン連結具３と植栽パン２を連結するようにしたものである。
【００４６】
以上、本発明の実施の形態について説明したが、本発明はこれら実施の形態に限定されるものではなく、発明の主旨を逸脱しない範囲で種々の変形が可能である。例えば、植栽パン２の大きさは任意であり、屋根面の大きさや施工のし易さなどによって決定すればよい。
【００４７】
また、植栽パン２に形成された植栽部１１ａ，１１ｂ，１１ｃの数、従ってこの植栽部を区画するための仕切板９ａ，９ｂの数も任意であり、マット状植物ｐの大きさと形状に応じて任意に採用できるものである。さらに、底板１０ａ，１０ｂ，１０ｃには、雨水などが必要以上に長期に亘って貯留されてマット状植物ｐに根腐れなどが発生することを防止するために、必要に応じて植木鉢と同様の小さな排水穴を設けてもよい。
【００４８】
また、パン連結具３も図示した形状のものに限定されるものではなく、植栽パン２を屋根の頂上を堺にして左右の屋根面に振り分けて連結係止できるものである限り、どのような形状および連結形式のものであっても採用可能である。
【図面の簡単な説明】
【００４９】
【図１】第１の実施の形態に係る勾配屋根の緑化構造の略示断面図である。
【図２】第１の実施の形態で用いる勾配屋根用植栽パンの構造を示すもので、（ａ）は斜視図、（ｂ）は平面図、（ｃ）は縦断面図である。
【図３】第１の実施の形態で用いるパン連結具の構造を示す斜視図である。
【図４】第１の実施の形態で用いるパン連結具の他の形状例を示す斜視図である。
【図５】第２の実施の形態に係る勾配屋根の緑化構造の略示断面図である。
【図６】第２の実施の形態で用いる勾配屋根用植栽パンの構造を示すもので、（ａ）は斜視図、（ｂ）は平面図、（ｃ）は縦断面図である。
【図７】第２の実施の形態で用いるパン連結具の構造を示すもので、（ａ）は斜視図、（ｂ）は側面図である。
【図８】第２の実施の形態におけるパン連結具と植栽パンの連結状態を示す断面図である。
【図９】第２の実施の形態における植栽パン同士の連結状態を示す断面図である。
【図１０】第２の実施の形態で用いるパン連結具の他の形状例を示すもので、（ａ）はパン連結具の斜視図、（ｂ）はパン連結具と植栽パンの連結状態を示す断面図である。
【符号の説明】
【００５０】
１    勾配屋根
２    勾配屋根用植栽パン
３    パン連結具
４    上壁板
５    下壁板
６    側壁板
７，８  フック部
９ａ，９ｂ  仕切り板
１０ａ〜１０ｃ  底板
１１ａ〜１１ｃ  植栽部
１２  連結用穴
１３，２６，２８，３２  ボルト
１４，２７，２９，３３  ナット
１６  本体部
１７  フック部
１８  フック部の底面部
１９  棟瓦
２１，２２  連結用穴
２３  本体部
２４  連結片部
２５  連結用穴
３０  枠体
３１  連結用穴
【図１】
2008019643.tif 000003
【図２】
2008019643.tif 000004
【図３】
2008019643.tif 000005
【図４】
2008019643.tif 000006
【図５】
2008019643.tif 000007
【図６】
2008019643.tif 000008
【図７】
2008019643.tif 000009
【図８】
2008019643.tif 000010
【図９】
2008019643.tif 000011
【図１０】
2008019643.tif 000012